(57)【特許請求の範囲】
【請求項１】
着用者の腹側に配される腹側外装体と、着用者の背側に配される背側外装体と、腹側外装体及び背側外装体に架け渡して固定された吸収性本体とを具備し、腹側外装体の両側縁部と背側外装体の両側縁部とが接合されて、一対のサイドシール部が形成されているパンツ型吸収性物品であって、
腹側外装体又は背側外装体は、物品の外面を形成する外層シートと、該吸収性本体の外面に接合された内層シートとを含む２枚以上の不織布シートを含んでおり、前記内層シート以外の少なくとも１枚の前記不織布シートが、前記吸収性本体と重なる部位において、該内層シートの下端よりも下方に延出しており、
延出した前記不織布シートのうち延出長さが最大の最大延出シートは、その内面側の隣接シートに接合された第１接合部の下端の位置が、前記内層シートが前記吸収性本体に接合された第２接合部の下端の位置より上方に位置しており、
前記第１接合部は、物品横方向に間欠的に複数形成されている、パンツ型吸収性物品。
【請求項２】
前記第１接合部の接合強度が、前記第２接合部の接合強度より高い、請求項１に記載のパンツ型吸収性物品。
【請求項３】
前記第１接合部は熱エンボス加工により形成された熱融着部であり、前記第２接合部は接着剤による接合部である、請求項１又は２に記載のパンツ型吸収性物品。
【請求項４】
前記第１接合部は、物品縦方向にも間欠的に複数形成されている、請求項１〜３の何れか１項に記載のパンツ型吸収性物品。
【請求項５】
前記腹側外装体又は前記背側外装体は、前記不織布シート間に、物品横方向に沿って弾性部材が配されており、該弾性部材は、前記吸収性本体と重なる部分の両側部においては弾性伸縮性を発現し、前記吸収性本体と重なる部分の中央部おいては弾性伸縮性を発現しない、請求項１〜４の何れか１項に記載のパンツ型吸収性物品。
【請求項６】
前記内層シートは、物品横方向に延びる複数本の帯状接合部で、物品縦方向に間欠的に前記吸収性本体に接合されており、最も下方に位置する帯状接合部の下端が、前記第２接合部の下端となっている、請求項１〜５の何れか１項に記載のパンツ型吸収性物品。
【発明の詳細な説明】
【技術分野】
【０００１】
本発明は、パンツ型吸収性物品に関する。
【背景技術】
【０００２】
従来、着用者の腹側に配される腹側部、着用者の股間部に配される股下部及び着用者の背側に配される背側部に亘る砂時計状の外装体と、該外装体の内面側に固定された吸収性本体とを備え、腹側部における外装体の両側縁部と背側部における外装体の両側縁部とが接合されて、一対のサイドシール部、ウエスト開口部及び一対のレッグ開口部が形成されているパンツ型吸収性物品が知られている。
また、従来のパンツ型吸収性物品として、外装体が、着用者の腹側に配される腹側外装体と、着用者の背側に配される背側外装体とに分割されており、吸収性本体が、腹側外装体及び背側外装体に架け渡すように固定されていると共に、腹側外装体の左右の両側縁部と背側外装体の左右両側縁部とが一対のサイドシール部において接合されている外装体前後分割タイプのパンツ型吸収性物品が知られている（例えば、特許文献１，２参照）
【先行技術文献】
【特許文献】
【０００３】
【特許文献１】特開２０１１−３６５３８号公報
【特許文献２】特開２００８−１９４１６０号公報
【発明の概要】
【発明が解決しようとする課題】
【０００４】
外装体が分割された外装体分割タイプのパンツ型吸収性物品における、腹側外装体及び背側外装体は、通常、それぞれを構成する複数枚のシートの下端の位置が揃っている。しかし、本発明者らは、腹側外装体及び背側外装体の一方又は双方を構成する複数枚のシートの下端の位置をずらすことによって、サイドシール部の隣接部に一枚のシートからなる破断し易い箇所が形成され、使用後のパンツ型吸収性物品における側部を破断させ易くなることを知見した。また、腹側外装体又は背側外装体の構成シートの下端の位置をずらすことによって、腹側外装体又は背側外装体の下縁部の着用者の肌への当りを柔軟とすることもできる。更に、他の理由から腹側外装体及び背側外装体の一方又は双方の構成シートの下端の位置をずらした設計としたい場合もある。
【０００５】
しかし、腹側外装体又は背側外装体を構成する複数枚の構成シートの下端の位置をずらすと、パンツ型吸収性物品の装着後にズボン等の衣類を重ねて履く場合などに、腹側外装体又は背側外装体の下端付近が、吸収性本体から剥がれ易くなる場合があった。
【０００６】
本発明の課題は、分割外装体（腹側外装体及び／又は背側外装体）を構成する複数枚の不織布シートの下端の位置がずれていながら、その分割外装体の下部が吸収性本体から剥離しにくいパンツ型吸収性物品を提供することにある。
【課題を解決するための手段】
【０００７】
本発明は、着用者の腹側に配される腹側外装体と、着用者の背側に配される背側外装体と、腹側外装体及び背側外装体に架け渡して固定された吸収性本体とを具備し、腹側外装体の両側縁部と背側外装体の両側縁部とが接合されて、一対のサイドシール部が形成されているパンツ型吸収性物品であって、腹側外装体又は背側外装体は、物品の外面を形成する外層シートと、該吸収性本体の外面に接合された内層シートとを含む２枚以上の不織布シートを含んでおり、前記内層シート以外の少なくとも１枚の前記不織布シートが、前記吸収性本体と重なる部位において、該内層シートの下端よりも下方に延出しており、延出した前記不織布シートのうち延出長さが最大の最大延出シートは、その内面側の隣接シートに接合された第１接合部の下端の位置が、前記内層シートが前記吸収性本体に接合された第２接合部の下端の位置より上方に位置しており、前記第１接合部は、物品横方向に間欠的に複数形成されている、パンツ型吸収性物品を提供するものである。
【発明の効果】
【０００８】
本発明のパンツ型吸収性物品によれば、分割外装体（腹側外装体及び／又は背側外装体）を構成する複数枚の不織布シートの下端の位置がずれていながら、その分割外装体の下部が吸収性本体から剥離しにくい。
【図面の簡単な説明】
【０００９】
【図１】図１は、本発明の一実施形態であるパンツ型使い捨ておむつの使用状態（着用状態）を示す斜視図である。
【図２】図２は、図１に示すパンツ型使い捨ておむつの展開且つ伸長状態を示す一部破断平面図である。展開且つ伸長状態とは、おむつの両側部に存する接合部（サイドシール部）を引き剥がして、パンツ型吸収性物品を展開状態とし、その展開状態の吸収性物品を、各部の弾性部材を伸長させて、設計寸法（弾性部材の影響を一切排除した状態で平面状に広げたときの寸法と同じ）となるまで拡げた状態をいう。
【図３】図３は、図１に示すパンツ型使い捨ておむつの腹側部側をおむつ外面側から見た伸長状態の一部破断拡大図である。
【図４】図４は、図１に示すパンツ型使い捨ておむつの背側部側をおむつ外面側から見た伸長状態の一部破断拡大図である。
【図５】図５は、図３のＶ−Ｖ線模式断面図である。
【図６】図６は、図１に示すパンツ型使い捨ておむつの、腹側外装体又は背側外装体と吸収性本体との接合領域を示す模式平面図である。
【図７】図７は、図１に示すパンツ型使い捨ておむつにおける各伸縮部のおむつ横方向に沿う断面を示す図であり、（ａ）は、弾性部材を伸長させて襞をなくした状態、（ｂ）は弾性部材が収縮して襞が形成されている状態を示す図である。
【図８】図８は、本発明の作用効果を説明するための図５相当図である。
【図９】図９は、本発明の作用効果を奏しない参考形態の図であり、（ａ）は図５相当図、（ｂ）は図８相当図である。
【図１０】図１０は、本発明の他の実施形態であるパンツ型使い捨ておむつの図６相当図及びその一部の拡大図である。
【図１１】図１１は、本発明の更に他の実施形態であるパンツ型使い捨ておむつの図５相当図である。
【図１２】図１２は、本発明の更に他の実施形態であるパンツ型使い捨ておむつの図５相当図である。
【図１３】図１３は、本発明の更に他の実施形態であるパンツ型使い捨ておむつの図５相当図である。
【発明を実施するための形態】
【００１０】
以下、本発明のパンツ型吸収性物品を、その好ましい実施形態に基づき図面を参照しながら説明する。
本発明の一実施形態であるパンツ型使い捨ておむつ１（以下、単におむつ１ともいう）は、図１及び図２に示すように、着用時に、着用者の腹側に配される腹側外装体２Ａと、着用者の背側に配される矩形状の背側外装体２Ｂと、腹側外装体２Ａ及び背側外装体２Ｂに架け渡して固定された吸収性本体３とを具備し、腹側外装体２Ａの両側縁部２ａ，２ａと背側外装体２Ｂの両側縁部２ｂ，２ｂとが接合されて、一対のサイドシール部４，４が形成されている。本発明の一実施形態であるパンツ型使い捨ておむつ１は、外装体が分割されたいわゆる外装分割タイプのパンツ型使い捨ておむつである。
なお、おむつ１は、着用時に、着用者の腹側に配される腹側部Ａと、着用者の背側に配される背側部Ｂと、腹側部Ａと背側部Ｂとの間に位置し、着用者の股間部に配される股下部Ｃを有している。腹側外装体２Ａは、腹側部Ａの一部を形成し、背側外装体２Ｂは、背側部Ｂの一部を形成している。
【００１１】
また、おむつ１においては、図１及び図２に示すように、背側外装体２Ｂは、サイドシール部４より下方に出する延出部２１ｂを有する一方、腹側外装体２Ａは、サイドシール部４よりも下方に延出する延出部を有していない。
【００１２】
本明細書において、「上方」及び「上縁部」は、図１に示すように、おむつ１（パンツ型吸収性物品）を、ウエスト開口部５側を上側、股下部Ｃ側を下側にして配置したときに、「上方」及び「上縁部」となる方向や部分であり、「下方」、「下端」及び「下縁部」も、おむつ１（パンツ型吸収性物品）を、ウエスト開口部５側を上側、股下部Ｃ側を下側にして配置したときに、「下方」、「下端」及び「下縁部」となる方向又は部分である。
また、物品縦方向Ｘ（おむつ縦方向）は、腹側部Ａから股下部Ｃを経て背側部Ｂに亘る方向又はその逆方向であり、物品横方向Ｙ（おむつ横方向）は、着用者の胴回り方向に沿う方向であり、物品縦方向Ｘと交差する方向である。
また、内面は、パンツ型吸収性物品又はその構成部材における、着用時に着用者の肌側に向けられる面であり、外面は、パンツ型吸収性物品又はその構成部材における、着用時に着用者の肌側とは反対側（通常、着衣側）に向けられる面である。
【００１３】
以下、本実施形態のおむつ１について、より具体的に説明する。
腹側外装体２Ａは、図２に示すように、物品縦方向Ｘの長さＬａが、サイドシール部４の長さＬ４と同じであり、腹側外装体２Ａは、左右両側にサイドシール部４，４を有する本体部２０ａを有する一方、本体部２０ａから股下部Ｃ側に延出する延出部を有していない。
他方、背側外装体２Ｂは、図２に示すように、物品縦方向Ｘの長さＬｂが、サイドシール部４の長さＬ４よりも長く、それによって、左右両側にサイドシール部４，４を有する本体部２０ｂと、本体部２０ｂから股下部Ｃ側に延出し、左右両側にサイドシール部４，４を有しない延出部２１ｂとが形成されている。以下、腹側外装体２Ａ（本体部２０ａ）を、腹側本体部２０ａともいい、背側外装体２Ｂの本体部２０ｂ及び延出部２１ｂを、背側本体部２０ｂ及び背側延出部２１ｂともいう。
【００１４】
おむつ１の吸収性本体３は、図２に示すように、液透過性の表面シート３１、液不透過性又は撥水性の裏面シート３２、及び両シート３１、３２間に介在配置された液保持性の吸収体３３を有しており、物品縦方向Ｘに長い長方形状に形成されている。吸収体３３は、パルプ繊維等の繊維の集合体（不織布であっても良い）からなる吸収性コア又はこれに吸水性ポリマーの粒子を保持させてなる吸収性コアと、吸収性コアを被覆するティッシュペーパーや不織布等からなるコアラップシートからなる。吸収体３３も、物品縦方向Ｘに長い長方形状に形成されている。吸収体３３は、長手方向の両側に、吸収性コアの形成材料が存在しないか又は該形成材料の坪量が他の部分より少ない低剛性部３３ｄを有している。
【００１５】
吸収性本体３の長手方向の両側部には、液抵抗性ないし撥水性で且つ通気性の素材から構成された側方カフス３４，３４が形成されている。各側方カフス３４の自由端の近傍には、側方カフス弾性部材３５が伸長状態で配されている。おむつ１の着用中には、側方カフス弾性部材３５が収縮することにより側方カフス３４が起立し、吸収性本体３から横方向外方への液の流出が阻止される。表面シート３１、裏面シート３２、及び吸収体３３の吸収性コアやコアラップシートとしては、それぞれ、この種の吸収性物品に従来用いられているものと同様のものを用いることができる。
【００１６】
吸収性本体３は、樹脂フィルムからなる裏面シート３２の外面に、不織布が積層一体化されていることが好ましい。当該不織布は、吸収性本体３の平面視形状と同一形状であっても良いし、吸収性本体３の外面側における、腹側外装体２Ａ又は背側外装体２Ｂに覆われない部分のみに配しても良い。ただし、腹側外装体２Ａ又は背側外装体２Ｂとの間に重なり部分を有することが好ましい。吸収性本体３の外面を形成させる不織布は、後述する外層シートに用いる不織布と同一製法の不織布であることが一層好ましい。
【００１７】
腹側外装体２Ａは、おむつ１の展開且つ伸長状態（図２参照）において、横長の長方形状をなしており、物品縦方向Ｘに沿う左右一対の側縁部２ａ，２ａと、それぞれ物品横方向Ｙに沿う上縁部２ｃ及び下縁部２ｄを有している。背側外装体２Ｂも、同様に、おむつ１の展開且つ伸長状態（図２参照）において、横長の長方形状をなしており、物品縦方向Ｘに沿う左右一対の側縁部２ｂ，２ｂと、物品横方向Ｙに沿う上縁部２ｃ及び下縁部２ｄを有している。本実施形態のおむつ１において、腹側外装体２Ａと背側外装体２Ｂは、図２に示すように、物品縦方向Ｘの長さが物品横方向Ｙにおいて均一である。
【００１８】
そして、腹側外装体２Ａの側縁部２ａと、背側外装体２Ｂの側縁部２ｂ（詳細には、その一部である接合部２ｂ’）とが接合されていることによって、おむつ１に、前述した一対のサイドシール部４，４が形成されている。この接合には、例えばヒートシール、超音波シール、接着剤等の公知の接合手段が用いられる。また、この接合によって、サイドシール部４，４と共に、ウエスト開口部５及び一対のレッグ開口部６，６が形成されている。
【００１９】
腹側外装体２Ａは、物品横方向Ｙの中央部における図６中に符号３６Ａで示す領域が、接着剤を介して、吸収性本体３の外面に接合され、背側外装体２Ｂも同様に、物品横方向Ｙの中央部における図６中に符号３６Ｂで示す領域が、接着剤を介して、吸収性本体３の外面に接合されている。
【００２０】
おむつ１における腹側外装体２Ａ及び背側外装体２Ｂは何れも、図３及び図４に示すように、複数枚の不織布シートが積層された構造を有しており、外装体を形成する不織布シートとして、おむつ（物品）の外面を形成する外層シート２２と、吸収性本体３の外面に接合された内層シート２３の２枚の不織布シートを含んでいる。
【００２１】
また、腹側外装体２Ａ及び背側外装体２Ｂは何れも、それぞれを構成する外層シート２２と内層シート２３との間に、物品横方向Ｙに沿って配された複数本の糸状の弾性部材２４とを備えており、腹側本体部２０ａ及び背側本体部２０ｂに、それぞれ、ウエスト伸縮部Ｇ１及び胴回り伸縮部Ｇ２が形成され、背側延出部２１ｂに、延出部伸縮部Ｇ３が形成されている。
【００２２】
ウエスト伸縮部Ｇ１は、腹側外装体２Ａ及び背側外装体２Ｂのそれぞれにおいて、吸収性本体３の長手方向の端部３ａ，３ｂより上方に形成されている。胴回り伸縮部Ｇ２は、腹側本体部２０ａ及び背側本体部２０ｂのそれぞれにおいて、ウエスト伸縮部Ｇ１より下方に形成されている。延出部伸縮部Ｇ３は背側延出部２１ｂに形成されている。胴回り伸縮部Ｇ２及び延出部伸縮部Ｇ３は、それぞれ、物品横方向Ｙにおける、少なくとも、吸収性本体３の両側縁３ｃ，３ｃそれぞれより外方に位置する部分に形成されている。
【００２３】
おむつ１においては、図３及び図４に示すように、ウエスト伸縮部Ｇ１は、腹側外装体２Ａ又は背側外装体２Ｂにおける側部接着領域２７，２７間の全域に亘って伸縮性を発現するように形成されており、他方、胴回り伸縮部Ｇ２及び延出部伸縮部Ｇ３は、吸収性本体３と重なる部分の両側部と、吸収性本体３の両側縁よりも外方においては伸縮性を発現し、吸収性本体３と重なる部分の中央部においては伸縮性を発現しないように、おむつ１の左右に分割された状態に形成されている。
【００２４】
腹側本体部２０ａ、背側本体部２０ｂ、及び背側延出部２１ｂには、それぞれ、複数本の弾性部材２４が、それぞれおむつ横方向に沿って延びるように、且つおむつの長手方向に間隔を開けて伸長状態で配されている。
【００２５】
腹側外装体２Ａ及び背側外装体２Ｂの伸縮部Ｇ１〜Ｇ３の何れにおいても、外層シート２２と内層シート２３との間が、散点状に形成された多数の融着部（接合部）２６において接合されており、弾性部材２４が、それらの融着部２６を通らないように配されている。
より具体的には、伸縮部Ｇ１〜Ｇ３には、物品縦方向Ｘに接合部２６が間欠的に直列配置されてなる接合部列が、物品横方向Ｙに複数列形成されており、それらの接合部列における各接合部の物品縦方向Ｘの位置が一致している。
そして、腹側外装体２Ａ及び背側外装体２Ｂの伸縮部Ｇ１〜Ｇ３の何れにおいても、複数本の弾性部材２４が、それぞれ、物品縦方向Ｘにおいて隣り合う接合部２６間を通るように配されている。また、各弾性部材２４は、後述する側部接着領域２７又は吸収性本体側接着領域２８においてシート２２，２３間に固定されている一方、それ以外の部位においては、シート２２，２３の何れにも固定されていない。
【００２６】
腹側外装体２Ａは、図３に示すように、腹側外装体の両側縁部２ａ，２ａ又はその近傍に、外層シート２２と内層シート２３との間が接着剤を介して接合された側部接着領域２７を有している。また、腹側外装体２Ａは、側部接着領域２７よりおむつ横方向中央側に、外層シート２２と内層シート２３との間が接着剤を介して接合された吸収性本体側接着領域２８を有している。
背側外装体２Ｂは、図４に示すように、背側外装体の両側縁部２ｂ，２ｂ又はその近傍に、外層シート２２と内層シート２３との間が接着剤を介して接合された側部接着領域２７を有している。また、背側外装体２Ｂも、側部接着領域２７よりおむつ横方向中央側に、外層シート２２と内層シート２３との間が接着剤を介して接合された吸収性本体側接着領域２８を有している。
【００２７】
そして、腹側外装体２Ａ及び背側外装体２Ｂの何れにおいても、ウエスト伸縮部Ｇ１に配された弾性部材２４は、一対の側部接着領域２７それぞれにおいてシート２２，２３間に固定されている一方、側部接着領域２７間においては、シート２２，２３の何れにも固定されていない。他方、腹側外装体２Ａ及び背側外装体２Ｂの何れにおいても、胴回り伸縮部Ｇ２又は延出部伸縮部Ｇ３に配された弾性部材２４は、側部接着領域２７及び吸収性本体側接着領域２８のそれぞれにおいてシート２２，２３間に固定されている一方、側部接着領域２７と吸収性本体側接着領域２８との間においては、シート２２，２３の何れにも固定されていない。吸収性本体側接着領域２８は、図３及び図４に示すように、おむつ横方向外側の端が、吸収性本体３の側縁３ｃの位置よりおむつ横方向の内側（中央側）に位置するように形成されているが、これに代えて、吸収性本体３の側縁３ｃの内外に亘るように形成したり、吸収性本体３の側縁３ｃよりおむつ横方向の外方に形成することもできる。
【００２８】
ウエスト伸縮部Ｇ１，胴回り伸縮部Ｇ２及び延出部伸縮部Ｇ３においては、弾性部材２４が収縮することにより、隣接する接合部列間のシート２２及び２３が外方に膨らむように変形して、隣接する接合部列間にシート２２又はシート２３からなる襞２９が生じると共に、両シート２２，２３間には、襞２９と襞２９とに周囲を囲まれた中空部３０が形成される（図７参照）。
【００２９】
以下、腹側外装体２Ａ及び背側外装体２Ｂの両者を分割外装体２と総称して、吸収性本体３に対する接合態様、及びそれぞれを構成する不織布シート間の接合の態様等について説明する。
分割外装体２（腹側外装体２Ａ，背側外装体２Ｂ）においては、図５に示すように、外層シート２２（内層シート以外の不織布シート）が、内層シート２３の下端２３ｄよりも下方に延出している。おむつ１における外層シート２２は、吸収性本体３と重なる部位を含めて、分割外装体２の物品横方向Ｙの全長に亘って、内層シート２３の下端２３ｄよりも延出している。
【００３０】
また、本実施形態のおむつ１においては、図５に示すように、外層シート２２と内層シート２３との間に他の不織布シートは介在しておらず、内層シート２３の下端２３ｄよりも下方に延出する不織布シートは、外層シート２２のみである。また、内層シート２３が、外層シート２２の内面側に位置する隣接シートである。そのため、本実施形態においては、外層シート２２が、内層シート２３の下端２３ｄからの延出長さＬ１が最大の最大延出シートであり、外層シート２２の内面が内層シート２３に接合されている接合部が第１接合部２５である。
【００３１】
また、おむつ１の分割外装体２は、吸収性本体３と重なる部分、より具体的には、左右の吸収性本体側接着領域２８どうし間に、図３及び図４に示すように、外層シート２２と内層シート２３とが、ヒートエンボス加工により接合された熱融着部である第１接合部２５が、物品横方向Ｙに間欠的に複数形成されている。おむつ１における第１接合部２５は、物品縦方向Ｘにも間欠的に複数形成されており、より詳細には、第１接合部２５が物品縦方向Ｘに間欠的に直列配置されてなる接合部列が、物品横方向Ｙに複数列形成されており、それらの接合部列における各第１接合部２５は物品縦方向Ｘの位置が一致している。また、分割外装体２は、最も吸収性本体３側に位置する不織布シートである内層シート２３が、前述した領域３Ａの範囲で吸収性本体３に接合されており、その接合部が、内層シート２３が吸収性本体３に接合された第２接合部３７となっている。
なお、物品縦方向Ｘの位置が異なる複数の第１接合部２５が形成されている場合、本発明にいう「第１接合部の下端の位置」は、最も下方に位置する第１接合部の下端の位置とする。また、物品横方向Ｙに間欠的に形成された第１接合部２５は、その２個以上、より好ましくは３個以上、更に好ましくはその総ての下端の位置が、第２接合部３７の下端の位置Ｐ２より上方に位置することが好ましい。
【００３２】
分割外装体２における、吸収性本体３と重なる部分、より具体的には、左右の吸収性本体側接着領域２８どうし間においては、図５に示すように、第１接合部２５の下端の位置Ｐ１が、内層シート２３が吸収性本体３に接合された第２接合部３７の下端の位置Ｐ２より上方に位置している。
【００３３】
本実施形態のおむつ１は、通常のパンツ型使い捨ておむつと同様にして装着して使用することができ、また、装着したおむつの上からズボン等の衣類を重ねて履くこともできる。
おむつの着用中に、人の手や他の物が引っ掛った場合や、おむつの上からズボン等をはく際には、図８に示すように、分割外装体２の下部に、吸収性本体３から引き剥がす方向の力が加わることがある。
【００３４】
その引き剥がす方向の力は、図８に示すように、直接的には、最大延出シート２２に加わり易いが、本実施形態のおむつ１によれば、最大延出シート２２の下端２２ｄ近傍が引っ張られても、第１接合部２５の下端の位置Ｐ１が、第２接合部３７の下端の位置Ｐ２より上方に位置することによって、第１接合部２５を介して、引っ張り力が、内層シート２３の広い範囲Ｐ３に分散して伝わる。そのため、内層シート２３の吸収性本体３からの剥離が生じ難く、分割外装体２の吸収性本体３からの剥離が生じ難い。
また、おむつ１においては、第１接合部２５が、物品横方向Ｙに間欠的に複数形成されている。そのため、第１接合部２５が、物品横方向Ｙ及び物品縦方向Ｘに連続して形成されている場合に比べて、分割外装体２が柔軟となる。それにより、分割外装体２の吸収性本体３からの剥離が一層生じ難くなる。
【００３５】
これに対して、図９（ａ）に示すように、分割外装体２における、第１接合部２５の下端の位置Ｐ１が、第２接合部３７の下端の位置Ｐ２より下方にある場合や同位置にある場合は、最大延出シート２２に加わる引っ張り力が、図９（ｂ）に示すように、第１接合部２５を介して、内層シート２３における第２接合部３７の下端付近の狭い範囲Ｐ４に加わる。そのため、分割外装体２の下部の吸収性本体３からの剥離が生じ易くなる。
【００３６】
上述した本発明の効果が、一層確実に奏されるようにする観点から、第１接合部２５の下端の位置Ｐ１と第２接合部３７の下端の位置Ｐ２との間の距離Ｌ２は、好ましくは１ｍｍ以上、より好ましくは３ｍｍ以上である。また、着用中の外観上の観点から、前記距離Ｌ２は、好ましくは１０ｍｍ以下、より好ましくは５ｍｍ以下である。
また、上述した本発明の効果が一層確実に奏されるようにする観点、かつ、着用中の外観上の観点から、最大延出シート２２の、内層シート２３の下端２３ｄからの延出長さＬ１（図５参照）は、好ましくは１ｍｍ以上、より好ましくは３ｍｍ以上であり、また、好ましくは１０ｍｍ以下、より好ましくは５ｍｍ以下であり、より具体的には、好ましくは１ｍｍ以上１０ｍｍ以下、より好ましくは３ｍｍ以上５ｍｍ以下である。
【００３７】
また、本実施形態のおむつ１においては、第１接合部２５が、物品縦方向Ｘにおいても間欠的に複数形成されている。そのため、分割外装体２が柔軟となり、分割外装体２の、吸収性本体３からの剥がれが一層生じ易くなる。
【００３８】
また、本実施形態のおむつ１においては、分割外装体２の、吸収性本体３と重なる部分の中央部においては、弾性部材２４が伸縮性を発現しないようになされている。吸収性本体３と重なる部分の中央部の伸縮性をなくすことにより、吸収性本体３に、収縮による凹凸が生じることが抑制され、第２接合部３７における接着力を高まる。また、吸収性本体３と重なる部分の両側部に生じる収縮力で、吸収性本体３を横方向に広げることにより分割外装体２の浮きが生じにくくなる。これにより、分割外装体２の吸収性本体３からの剥離が一層確実に防止される。
【００３９】
また、本実施形態のおむつ１は、腹側外装体２Ａを構成する複数枚の不織布シートの下端部を、腹側外装体２Ａの物品横方向Ｙの全長に亘ってずらしてある。そのため、サイドシール部４の隣接部に一枚のシートからなる破断し易い箇所が形成され、レッグ開口部６側からサイドシール部４を容易に引き裂くことができ、廃棄時に要する手間や時間を削減可能である。また、分割外装体２の構成シートの下端の位置をずらすことによって、その分割外装体２の下縁部の、着用者の肌への当りも柔軟である。
【００４０】
上述した一又は二以上の効果が一層確実に奏されるようにする観点から、第１接合部２５の接合強度は、第２接合部３７の接合強度より高いことが好ましい。
第１接合部２５の接合強度が、第２接合部３７の接合強度より高いと、分割外装体２が吸収性本体３から剥離し難い上に、分割外装体２を構成する不織布シート間の剥離も生じにくくなる。
このような観点から、第１接合部２５は熱エンボス加工により形成された熱融着部であることが好ましく、第２接合部３７は接着剤による接合部であることが好ましい。
【００４１】
第１接合部２５の接合強度及び第２接合部３７の接合強度は、例えば下記方法により測定することができる。
〔接合強度の測定方法〕
まず、第１接合部２５及び第２接合部３７を含むように、吸収性本体に固定された外装体から矩形状のサンプルシートを切り出した。サンプルシートは、Ｙ方向の外装体の長さを３０ｍｍ、Ｘ方向の外装体の長さを５０ｍｍとした。得られたサンプルシートについて、第１接合部２５及び第２接合部３７の１８０°剥離強度を、テンシロン引っ張り試験機（オリエンテック社製、商品名「ＲＴＡ−１００」）を用い、常法に従って測定（チャック間距離１０ｍｍ、引張速度３００ｍｍ／ｍｉｎ）し、これを、第１接合部２５の接合強度及び第２接合部３７の接合強度とした。すなわち、第１接合部２５の接合強度の測定の際には、外層シート２２の下端２２ｄ及び内層シート２３の下端２３ｄを、それぞれ、テンシロン引っ張り試験機のチャックに挟み、第１接合部２５をチャック間の中央に位置させた。同様に、第２接合部３７の接合強度の測定の際には、内層シート２３の下端２３ｄ及び吸収性本体を、それぞれ、テンシロン引っ張り試験機のチャックに挟み、第２接合部３７をチャック間の中央に位置させた。なお、サンプルシートをチャックに挟む際に、挟み代が少ない場合は、サンプルシート端に粘着テープ等を接続して挟み代とすることができる。剥離強度は、第１接合部２５及び第２接合部３７が、Ｙ方向に１０ｍｍ剥離されるまでの引っ張り過程における最大点荷重（応力）である。
【００４２】
第１接合部２５の接合強度は、好ましくは３Ｎ／５０ｍｍ以上、より好ましくは５Ｎ／５０ｍｍ以上である。また、第２接合部３７の接合強度は、好ましくは０．５Ｎ／５０ｍｍ以上、より好ましくは１．５Ｎ／５０ｍｍ以上である。第１接合部２５の接合強度と第２接合部３７の接合強度の差は、好ましくは０．５Ｎ／５０ｍｍ以上であり、より好ましくは４．５Ｎ／５０ｍｍ以上である。
【００４３】
また、背側延出部２１ｂの物品縦方向Ｘの長さＬ６は、背側外装体２Ｂの同方向の長さＬｂの、好ましくは５％以上６０％以下であり、より好ましくは２０％以上４０％以下である。
【００４４】
また、分割外装体２の第２接合部３７として、図１０に示すように、物品横方向Ｙに延びる複数本の帯状接合部３７Ａで、物品縦方向Ｘに間欠的に吸収性本体３に接合されているものを設けることも好ましい。物品縦方向Ｘに複数の帯状接合部３７Ａを有する場合の、「第２接合部の下端の位置」は、最も下方に位置する帯状接合部の下端の位置である。
物品横方向Ｙに延びる複数本の帯状接合部３７Ａを複数設けることで、分割外装体と吸収性本体３との接合部の硬さや手触りを改善する等の利点がある。
個々の帯状接合部３７Ａの幅Ｗ１（物品縦方向Ｘの長さ）は、好ましくは０．５ｍｍ以上５ｍｍ以下、より好ましくは１ｍｍ以上３ｍｍ以下であり、帯状接合部３７Ａどうし間の間隔Ｗ２は、好ましくは０．５ｍｍ以上５ｍｍ以下、より好ましくは１ｍｍ以上３ｍｍ以下であり、前記幅Ｗ１と前記間隔Ｗ２との合計値に対する前記幅Ｗ１の割合は、好ましくは９％以上９１％以下、より好ましくは２５％以上７５％以下である。
【００４５】
おむつ１の形成材料について説明すると、分割外装体２を構成する不織布シート（外層シート２２，内層シート２３等）としては、この種の物品に従来使用されている各種の製法の不織布を用いることができ、例えば、エアースルー不織布、ヒートロール不織布、スパンレース不織布、スパンボンド不織布、メルトブローン不織布等からなる単層の不織布又は２層以上の積層不織布等を用いることができる。また、これらの不織布とフィルムとを一体化したシートでもよい。
【００４６】
分割外装体２を構成する不織布シートとしては、長繊維不織布を用いることが好ましい。長繊維不織布とは、長繊維からなる不織布であり、スパンボンド不織布、積層スパンボンド不織布等が挙げられる。分割外装体２を構成する不織布シートして、長繊維不織布を用いると、表面が比較的平滑であるため、不織布シート間や内層シート２３と吸収性本体３との間を、接着剤を用いて接着する場合の接着性を高めることができる。
【００４７】
弾性部材２４の形成材料としては、使い捨ておむつや生理用ナプキン等の吸収性物品に用いられる各種公知の弾性材料を特に制限なく用いることができる。弾性材料としては、例えば、スチレン−ブタジエン、ブタジエン、イソプレン、ネオプレン等の合成ゴム、天然ゴム、ＥＶＡ、伸縮性ポリオレフィン、ポリウレタン等を挙げることができる。弾性部材の形態としては、断面が矩形、正方形、円形、多角形状等の糸状（糸ゴム等）若しくは紐状（平ゴム等）のもの、又はマルチフィラメントタイプの糸状のもの等を好ましく用いることができる。
【００４８】
以上、本発明をその好ましい実施形態に基づき説明したが、本発明は上述した実施形態に制限されず適宜変更可能である。
例えば、腹側外装体２Ａ又は背側外装体２Ｂは、物品の外面を形成する外層シート２２と、吸収性本体３の外面に接合された内層シート２３との間に、１枚又は２枚以上の不織布シート１８を有していても良い。
【００４９】
腹側外装体２Ａ又は背側外装体２Ｂにおいて、内層シート２３の下端よりも下方に延出する不織布シートは、少なくとも１枚であり、内層シート２３と外層シート２２との間に１枚又は２枚以上（好ましくは４枚以下、より好ましくは３枚以下）の中間不織布シート１８が存在していても、１枚の外層シート２２又は１枚の中間不織布シート１８のみが、内層シート２３の下端よりも下方に延出していても良い。
また、内層シート２３と外層シート２２との間に１枚又は２枚以上（好ましくは４枚以下、より好ましくは３枚以下）の中間不織布シート１８が存在する場合、１枚の外層シート２２及び１枚又は２枚以上の中間不織布シート１８が、内層シート２３の下端よりも下方に延出していても良いし、１枚又は２枚の中間不織布シート１８のみが、内層シート２３の下端よりも下方に延出していても良い。
【００５０】
図１１〜図１３に示す実施形態においては、外層シート２２と内層シート２３との間に１枚の中間不織布シート１８が介在している。図１１及び図１２に示す実施形態においては、中間不織布シート１８が、内層シート２３の下端２３ｄからの延出長さＬ１が最大の最大延出シートであり、図１３に示す実施形態においては、外層シート２２が、内層シート２３の下端２３ｄからの延出長さＬ１が最大の最大延出シートである。
図１１及び図１２に示す実施形態においても、最大延出シートである中間不織布シート１８が、その内面側の隣接シートである内層シート２３に接合された第１接合部２５の下端の位置Ｐ１が、内層シート２３が吸収性本体３に接合された第２接合部３７の下端の位置Ｐ２より上方に位置している。そのため、上述した実施形態のおむつ１と同様の作用効果が得られる。
【００５１】
図１３に示す実施形態においても、最大延出シートである外層シート２２が、その内面側の隣接シートである中間不織布シート１８に接合された第１接合部２５の下端の位置Ｐ１が、内層シート２３が吸収性本体３に接合された第２接合部３７の下端の位置Ｐ２より上方に位置している。そのため、上述した実施形態のおむつ１と同様の作用効果が得られる。
【００５２】
なお、図１１〜図１３の実施形態における第１接合部２５は、全て、物品横方向に間欠的に複数形成されている。また、図１１〜図１３中、符号１９は、分割外装体２を構成する不織布シート間を接合する接合部であって、第１接合部２５以外のものであり、何れも、物品横方向に間欠的に複数形成されている。また、図１１〜図１３に示す実施形態における内層シート２３は、例えば、外層シート２２を構成する不織布シートを、ウエスト開口部の周縁端で折り返し、その折り返した部分を、分割外装体２の下端付近まで延在させたものである。
【００５３】
また、上述したおむつ１においては、腹側外装体２Ａ及び背側外装体２Ｂの両方において、内層シート２３以外の不織布シートが、該内層シート２３の下端よりも下方に延出していたが、本発明のパンツ型使い捨ておむつは、腹側外装体２Ａ及び背側外装体２Ｂの一方が、内層シート２３の下端よりも下方に延出する不織布シートを有していても良い。
【００５４】
また、上述したおむつ１における外層シート２２は、吸収性本体３と重なる部位を含めて、分割外装体２の物品横方向Ｙの全長に亘って、内層シート２３の下端２３ｄよりも延出していたが、本発明における外層シート２２は、内層シート２３の下端２３ｄよりも延出する部分が、吸収性本体３と重なる部位のみであっても良い。
【００５５】
また、第１接合部２５として、物品縦方向Ｘに延びる帯状接合部を、物品横方向に間欠的に複数設けても良い。また、第１接合部２５は、ホットメルト型接着剤等の接着剤による接合により形成されていても良いし、第２接合部３７が、接着剤による接合以外の接合方法で形成されていても良い。
【００５６】
また、上述したおむつ１にように、背側外装体２Ｂにサイドシール部４より下方に延出する延出部２１ｂを設けるのに代えて、腹側外装体２Ａにサイドシール部４より下方に延出する延出部を設けても良い。また、腹側外装体２Ａ及び背側外装体２Ｂの両方に、サイドシール部４より下方に延出する延出部を設けても良く、腹側外装体２Ａ及び背側外装体２Ｂの両方に、サイドシール部４より下方に延出する延出部を設けなくても良い。
【００５７】
また、ウエスト伸縮部Ｇ１、胴回り伸縮部Ｇ２、延出部伸縮部Ｇ３は、それぞれの全体又は一部が、おむつ外面をなす外層シート２２とその内側に配された内層シート２３とが全域において接着された構造を有するものであっても良い。また、胴回り伸縮部Ｇ２を、腹側外装体２Ａ及び／又は背側外装体２Ｂの全幅に亘るように形成しても良く、延出部伸縮部Ｇ３も、腹側外装体２Ａ及び／又は背側外装体２Ｂの全幅に亘るように形成しても良い。
【００５８】
また、サイドシール部４は、腹側及び背側外装体の側縁部２ａ，２ｂを接合して形成されているが、サイドシール部４の外側に腹側外装体２Ａと背側外装体２Ｂとが接合されていない細幅（例えば０ｍｍ超２０ｍｍ以下）の非接合部分を有していてもよい。
【００５９】
また、パンツ型吸収性物品は、幼児又は成人用のパンツ型使い捨ておむつの他、パンツ型の生理用ナプキン等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【００６０】
上述した実施形態に関し、本発明はさらに以下のパンツ型吸収性物品を開示する。
＜１＞
着用者の腹側に配される腹側外装体と、着用者の背側に配される背側外装体と、腹側外装体及び背側外装体に架け渡して固定された吸収性本体とを具備し、腹側外装体の両側縁部と背側外装体の両側縁部とが接合されて、一対のサイドシール部が形成されているパンツ型吸収性物品であって、
腹側外装体又は背側外装体は、物品の外面を形成する外層シートと、該吸収性本体の外面に接合された内層シートとを含む２枚以上の不織布シートを含んでおり、前記内層シート以外の少なくとも１枚の前記不織布シートが、前記吸収性本体と重なる部位において、該内層シートの下端よりも下方に延出しており、
延出した前記不織布シートのうち延出長さが最大の最大延出シートは、その内面側の隣接シートに接合された第１接合部の下端の位置が、前記内層シートが前記吸収性本体に接合された第２接合部の下端の位置より上方に位置しており、
前記第１接合部は、物品横方向に間欠的に複数形成されている、パンツ型吸収性物品。
【００６１】
＜２＞
前記外層シートは、前記吸収性本体と重なる部位を含めて、前記腹側外装体又は前記背側外装体の物品横方向（Ｙ）の全長に亘って、前記内層シートの下端よりも下方に延出している、前記＜１＞記載のパンツ型吸収性物品。
＜３＞
前記第１接合部の下端の位置（Ｐ１）と前記第２接合部の下端の位置（Ｐ２）との間の距離（Ｌ２）は、好ましくは１ｍｍ以上、より好ましくは３ｍｍ以上であり、また、好ましくは１０ｍｍ以下、より好ましくは５ｍｍ以下である、前記＜１＞又は＜２＞に記載のパンツ型吸収性物品。
＜４＞
前記最大延出シートの、前記内層シートの下端からの延出長さ（Ｌ１）は、好ましくは１ｍｍ以上、より好ましくは３ｍｍ以上であり、また、好ましくは１０ｍｍ以下、より好ましくは５ｍｍ以下であり、また、好ましくは１ｍｍ以上１０ｍｍ以下、より好ましくは３ｍｍ以上５ｍｍ以下である、前記＜１＞〜＜３＞の何れか１に記載のパンツ型吸収性物品。
＜５＞
前記第１接合部の接合強度が、前記第２接合部の接合強度より高い、前記＜１＞〜＜４＞の何れか１に記載のパンツ型吸収性物品。
＜６＞
前記第１接合部の接合強度は、好ましくは３Ｎ／５０ｍｍ以上、より好ましくは５Ｎ／５０ｍｍ以上である、前記＜５＞に記載のパンツ型吸収性物品。
＜７＞
前記第２接合部の接合強度は、好ましくは０．５Ｎ／５０ｍｍ以上、より好ましくは１．５Ｎ／５０ｍｍ以上である、前記＜５＞又は＜６＞に記載のパンツ型吸収性物品。
＜８＞
前記第１接合部の接合強度と前記第２接合部の接合強度の差は、好ましくは０．５Ｎ／５０ｍｍ以上であり、より好ましくは４．５Ｎ／５０ｍｍ以上である、前記＜５＞〜＜７＞の何れか１に記載のパンツ型吸収性物品。
＜９＞
前記第１接合部は熱エンボス加工により形成された熱融着部であり、前記第２接合部は接着剤による接合部である、前記＜５＞〜＜８＞の何れか１に記載のパンツ型吸収性物品。
＜１０＞
前記第１接合部は、物品縦方向にも間欠的に複数形成されている、前記＜１＞〜＜９＞の何れか１に記載のパンツ型吸収性物品。
【００６２】
＜１１＞
前記腹側外装体又は前記背側外装体は、前記不織布シート間に、物品横方向に沿って弾性部材が配されており、該弾性部材は、前記吸収性本体と重なる部分の両側部においては弾性伸縮性を発現し、前記吸収性本体と重なる部分の中央部おいては弾性伸縮性を発現しない、前記＜１＞〜＜１０＞の何れか１に記載のパンツ型吸収性物品。
＜１２＞
前記内層シートは、物品横方向に延びる複数本の帯状接合部で、物品縦方向に間欠的に前記吸収性本体に接合されており、最も下方に位置する帯状接合部の下端が、前記第２接合部の下端となっている、前記＜１＞〜＜１１＞の何れか１に記載のパンツ型吸収性物品。
＜１３＞
個々の帯状接合部の幅（Ｗ１）が、０．５ｍｍ以上５ｍｍ以下、好ましくは１ｍｍ以上３ｍｍ以下である、前記＜１２＞に記載のパンツ型吸収性物品。
＜１４＞
前記帯状接合部どうし間の間隔（Ｗ２）が、０．５ｍｍ以上５ｍｍ以下、好ましくは１ｍｍ以上３ｍｍ以下である、前記＜１２＞又は＜１３＞に記載のパンツ型吸収性物品。
＜１５＞
個々の帯状接合部の幅（Ｗ１）と前記帯状接合部どうし間の間隔（Ｗ２）との合計値に対する前記幅（Ｗ１）の割合が、好ましくは９％以上９１％以下、より好ましくは２５％以上７５％以下である、前記＜１２＞〜＜１４＞の何れか１に記載のパンツ型吸収性物品。
＜１６＞
前記腹側外装体又は前記背側外装体を構成する複数枚の不織布シートの下端部を、腹側外装体又は背側外装体の物品横方向（Ｙ）の全長に亘ってずらしてある、前記＜１＞〜＜１５＞の何れか１に記載のパンツ型吸収性物品。
＜１７＞
前記内層シートの下端よりも下方に延出する不織布シートは、前記外層シートのみである、前記＜１＞〜＜１６＞の何れか１に記載のパンツ型吸収性物品。
＜１８＞
前記腹側外装体は、物品縦方向の長さ（Ｌａ）が、前記サイドシール部の長さ（Ｌ４）と同じであり、該腹側外装体は、左右両側に前記サイドシール部を有する本体部を有する一方、該本体部から股下部側に延出する延出部を有していない、前記＜１＞〜＜１７＞の何れか１に記載のパンツ型吸収性物品。
＜１９＞
前記背側外装体は、物品縦方向の長さ（Ｌｂ）が、前記サイドシール部の長さ（Ｌ４）よりも長く、それによって、左右両側に前記サイドシール部を有する本体部と、該本体部から股下部側に延出し、左右両側に前記サイドシール部を有しない延出部とが形成されている、前記＜１＞〜＜１８＞の何れか１に記載のパンツ型吸収性物品。
＜２０＞
前記背側外装体は、前記サイドシール部より下方に出する延出部を有する一方、前記腹側外装体は、前記サイドシール部よりも下方に延出する延出部を有していない、前記＜１＞〜＜１９＞の何れか１に記載のパンツ型吸収性物品。
【００６３】
＜２１＞
前記腹側外装体は、左右両側に前記サイドシール部を有する腹側本体部を有しており、
前記背側外装体は、左右両側に前記サイドシール部を有する背側本体部と、該本体部から股下部側に延出し、左右両側に前記サイドシール部を有しない背側延出部とを有しており、
前記腹側本体部、前記背側本体部及び前記背側延出部に、それぞれ、複数本の弾性部材が、それぞれ物品横方向に沿って延びるように、且つ物品長手方向に間隔を開けて伸長状態で配されている、前記＜１＞〜＜２０＞の何れか１に記載のパンツ型吸収性物品。
＜２２＞
前記腹側外装体及び前記背側外装体の、ウエスト伸縮部（Ｇ１）、胴回り伸縮部（Ｇ２）及び延出部伸縮部（Ｇ３）の何れにおいても、複数本の弾性部材が、それぞれ、物品縦方向Ｘにおいて隣り合う接合部（２６）間を通るように配されている、前記＜１＞〜＜２１＞の何れか１に記載のパンツ型吸収性物品。
＜２３＞
前記腹側外装体又は前記背側外装体は、物品縦方向に沿う両側縁部又はその近傍に、前記外層シートと前記内層シートとの間が接着剤を介して接合された側部接着領域を有し、また側部接着領域より物品横方向中央側に、前記外層シートと前記内層シートとの間が接着剤を介して接合された吸収性本体側接着領域を有しており、
前記各弾性部材は、前記側部接着領域又は前記吸収性本体側接着領域において、前記外層シートと前記内層シートとの間に固定されている一方、それ以外の部位においては、前記外層シート及び前記内層シートの何れにも固定されていない、前記＜１＞〜＜２２＞の何れか１に記載のパンツ型吸収性物品。
【符号の説明】
【００６４】
１  パンツ型使い捨ておむつ（パンツ型吸収性物品）
２  分割外装体
２２  外層シート（不織布シート）
２３  内層シート（不織布シート）
２４  第１接合部
Ｐ１  第１接合部の下端位置
３７  第２接合部
Ｐ２  第２接合部の下端位置
１８  中間不織布シート（不織布シート）
２Ａ  腹側外装体
２０ａ  腹側本体部
２Ｂ  背側外装体
２０ｂ  背側本体部
２１ｂ  延出部
３  吸収性本体
３１  表面シート
３２  裏面シート
３３  吸収体
４  サイドシール部
５  ウエスト開口部
６  レッグ開口部
【図１】
0006316707.tif 000002
【図２】
0006316707.tif 000003
【図３】
0006316707.tif 000004
【図４】
0006316707.tif 000005
【図５】
0006316707.tif 000006
【図６】
0006316707.tif 000007
【図７】
0006316707.tif 000008
【図８】
0006316707.tif 000009
【図９】
0006316707.tif 000010
【図１０】
0006316707.tif 000011
【図１１】
0006316707.tif 000012
【図１２】
0006316707.tif 000013
【図１３】
0006316707.tif 000014